(57)【要約】  本発明は、壁の上部分に取り付けるための柵に関する。かかる柵は、前記壁に固定可能な取付け手段と、かかる取付け手段によって支持され、前記壁の上部分より上方にある柵とを備えている。前記柵は、必要に応じて前記壁の上部分へのアクセスを可能とするように前記取付け手段から取外し可能である。一態様において前記柵の少なくとも１つの部分は、かかる少なくとも１つの部分が前記壁の上端より上方に設置されている第１の位置と、その後それまでその上方に移動可能な柵部分が配置されていた前記壁の上端へのアクセスが提供される第２の位置との間で、前記柵の残りの部分に対して移動可能である。
2013520586.tif 000002
【特許請求の範囲】
【請求項１】
壁に固定可能な取付け手段と、
該取付け手段によって支持される、前記壁の上部分より上方にある柵と
を備える、前記壁の上部分に取り付けるための柵であって、必要に応じて前記壁の上部分へのアクセスを可能とするように前記柵が前記取付け手段から取外し可能である柵。
【請求項２】
柵の少なくとも１つの部分が、前記柵の残りの部分に対して移動可能であり、かつ、前記少なくとも１つの部分が、壁の上部分より上方に設置されている第１の位置と、その後それまでその上方に前記移動可能な柵部分が配置されていた前記壁の上部分へのアクセスが提供される第２の位置との間で移動可能である、請求項１に記載の柵。
【請求項３】
柵が２つの柵部分を備え、該柵部分が、前記柵の残りの部分に対して移動可能であり、かつ、各々の第１の位置及び第２の位置の間で移動可能である、請求項２に記載の柵。
【請求項４】
柵の移動可能な部分又はその各々が、前記柵の残りの部分に対して展開可能かつ収納可能である、請求項２又は３に記載の柵。
【請求項５】
柵の移動可能な部分又はその各々が、前記柵の残りの部分に対して入れ子式に展開可能かつ収納可能である、請求項２〜４のいずれかに記載の柵。
【請求項６】
柵の移動可能な部分又はその各々が、前記柵の残りの部分に対する展開位置と収納位置との間でスライド可能である、請求項２〜５のいずれかに記載の柵。
【請求項７】
柵の残りの部分が、対向する端部を有する中心部分であり、２つの移動可能な部分の各々が、前記中心部分の対向する端部の１つに対して展開及び収納される、請求項３〜６のいずれかに記載の柵。
【請求項８】
柵の移動可能な部分又はその各々が、前記柵の残りの部分に対する展開位置及び収納位置の間で旋回可能である、請求項２に記載の柵。
【請求項９】
柵の旋回可能な部分又はその各々が、前記柵の主要部分に対して蝶番で接続されている、請求項８に記載の柵。
【請求項１０】
柵の移動可能な部分又はその各々が、少なくともその展開位置において、解除可能な形で固定できる、請求項１〜９のいずれかに記載の柵。
【請求項１１】
柵の移動可能な部分又はその各々が、完全に収納された位置及び完全に展開された位置を含むそれらの間の一連の位置のいずれか１つにおいて、解除可能な形で固定できる、請求項１０に記載の柵。
【請求項１２】
複数の取付け手段が壁に固定されていてもよく、使用される前記取付け手段の数が柵の長さに依存する、請求項１〜１１のいずれかに記載の柵。
【請求項１３】
取付け手段が、石工ボルト等の従来の締結手段を用いて壁に締結できるプレートを備える、請求項１〜１２のいずれかに記載の柵。
【請求項１４】
垂直の支柱が取付け手段に結合され、かつ前記取付け手段から上方に延伸し、次に柵が前記垂直の支柱に固定される、請求項１〜１３のいずれかに記載の柵。
【請求項１５】
柵部分又はその各々が、長方形又は正方形の嵌込みパネル及び外側周辺枠を備える、請求項１〜１４のいずれかに記載の柵。
【請求項１６】
嵌込みパネルがメッシュパネルである、請求項１５に記載の柵。
【請求項１７】
外側周辺枠が構造用鋼鉄部材で製造されている、請求項１５又は１６に記載の柵。
【請求項１８】
柵が、ホイストライン用の結合ポイントを有し、該ホイストライン及び結合ポイントを介して、前記柵を昇降及び移動させることができる、請求項１〜１７のいずれかに記載の柵。
【請求項１９】
長手方向に伸長可能である、請求項１に記載の柵。
【請求項２０】
第１端部及び第２端部、並びに各端部から伸長可能な部分を備える、請求項１９に記載の柵。
【発明の詳細な説明】
【技術分野】
【０００１】
本発明は移動可能な柵（barrier）、特に壁の上部分への設置用の柵に関する。
【０００２】
優先権
本特許出願は、２０１０年２月２４日に出願された"REMOVABLE BARRIER FOR LOCATION ON AN UPPER PORTION OF A WALL"なる名称の、豪州仮特許出願第２０１０９００７８４号の優先権を主張する。
【０００３】
上記出願の全内容は、参照により本明細書に援用される。
【背景技術】
【０００４】
建設中の建物の２階又は３階以上で作業をしている建設作業員のために、特に建物の最上階を建設する段階において、かかる最上階の壁の上端に近接して作業する必要がある場合、防護柵及び手すりの両方の役割を果たす柵を提供する必要性がある。明らかに、これらの高所からの落下事故を防止する必要性が存在する。
【０００５】
このような事態は一般に外壁を、プレキャストコンクリート平板（slab）を用いて形成する建物の建設中に発生する。この建設では、現場外又は現場で成型されたプレキャストコンクリートの壁部を用いる。プレキャストコンクリートの壁を特に複数の階を有する建物で用いる場合には、壁の上端に対して（towards the upper edge of the walls）鉄筋コンクリート床（reinforced concrete floor）を建設することが必要である。これは、鉄筋コンクリート又はポストストレストコンクリート（post-stressed concrete）施工技術を用いて柱及び床を製造する、従来の成型技術を用いて達成される。
【０００６】
これらの柱及び床を製造するために必要な型枠（form work）を配設する工程中に作業員は、先に配置したプレキャスト壁に近接した床の縁近くの高所にいることが必要である。
【０００７】
これらの壁の上端に柵を設けるため、複数の垂直の支柱及び複数の水平の棒を備える柵が用いられてきた。間隔をあけた水平の棒を用いることにより、先に配置した壁部の最上端の上に次のプレキャスト壁部を設置して固定する時に、作業員は前記棒の合間から壁の上端に達して作業を実施する。この作業には、高さ調整パッカー（height adjustment packer）の設置、壁の内側及び外側の縁への帯状シーリング剤（sealant strip）の設置、及び上部壁パネルの下部壁パネルへの固定を補助するために用いるグラウトの付加が含まれる。
【０００８】
この作業を行うためには明らかに、下部（すなわち先に置いた）壁パネルの上端へのアクセスが要求される。
【０００９】
しかしこれらの上部柵には、作業員の落下を防止するだけでなく、固定されていない（loose）物体の高所からの落下も防止することが求められる。したがって、柵の最上部から最下部まで比較的目の細かいメッシュを取り付けた柵が必要な場合がある。そのような必要がある場合には明らかに、次のプレキャスト壁部を配置して結合することに伴う必要な作業を実施することが極めて困難になる。
【００１０】
したがって本発明の目的は、上記の１若しくは２以上の問題を克服すること又は少なくとも、公知の柵システムの有用な代替物を提供することにある。
【００１１】
本発明の他の目的及び利点は、説明及び例により本発明の実施形態を添付の図面と関連させて開示する、以下の記載から明らかになる。
【発明の概要】
【発明が解決しようとする課題】
【００１２】
一態様において本発明は、壁に固定可能な取付け手段と、前記取付け手段によって支持される、前記壁の上部分より上方に位置する柵とを備える、前記壁の上部分に取り付けるための柵であって、必要に応じて前記壁の上部分へのアクセスを可能とするように前記柵が前記取付け手段から取外し可能である柵である。
【００１３】
一形態において、複数の取付け手段が壁に固定されていてよく、使用される前記取付け手段の数は柵の長さに依存する。
【００１４】
一形態において前記取付け手段は、石工ボルト（masonry bolt）等の従来の締結手段を用いて壁に締結できるプレートを備えている。
【００１５】
一形態において、垂直の支柱（upright）が前記取付け手段に結合され、次に柵が前記垂直の支柱に固定される。
【００１６】
一形態において前記柵は取外し可能であることに加え、前記壁より上方に柵が配置された第１の位置と、その後前記壁の上端の必要な位置へのアクセスが提供される第２の位置との間で移動可能であってよい。例えば前記柵又は柵の一部分は、前記取付け手段に対して蝶番で連結されていてもよく、前記柵の一部分は柵の別の部分に対してスライド可能であってもよい。一形態において、蝶番で連結された又はスライド可能な２又は３以上の部分は、壁の端の上で利用されるいかなる単一の長さ（single length）の柵において提供されてもよい。
【００１７】
一形態において、柵の移動可能な部分又はその各々は、前記柵の残りの部分に対して入れ子式に（telescopically）展開可能（extendible）かつ収納可能（retractable）である。
【００１８】
一形態においては、アクセスが要求される主な領域である各壁部の端部へのアクセスが可能となるように所定の長さの個別の柵をいくつも備える。しかし、要求される場所に取外し可能又は移動可能な部分があるならば、壁の一端の全長に沿って伸びる単一の柵を用いることもできる。
【００１９】
一形態において、柵の移動可能な部分又はその各々は、少なくともその展開した位置において解除可能な形で固定できる。
【００２０】
一形態において、柵の移動可能な部分又はその各々は、完全に収納した位置及び完全に展開した位置を含むそれらの間の一連の位置のいずれか１つにおいて、解除可能な形で固定できる。
【００２１】
一形態において、柵はホイストライン用の結合ポイントを有し、かかるホイストライン及び結合ポイントを用いて、前記柵を昇降及び移動させることができる。
【００２２】
さらなる態様において本発明は、壁に固定可能な取付け手段と、該取付け手段によって支持される、前記壁の上部より上方にある第１柵部分とを備える、前記壁の上部分に取り付けるための柵であるということができる。ここで、少なくとも第２柵部分は、前記壁の上部分より上方にある第１の位置と、その後それまでその上方に前記第２柵部分が配置されていた前記壁の上部分へのアクセスが提供される第２の位置との間で移動可能である。
【００２３】
またさらなる態様において本発明は、壁に固定可能な取付け手段と、該取付け手段によって支持される、前記壁の上部分より上方にある柵とを備える、前記壁の上部分に取り付けるための、長さを伸長できる柵であって、必要に応じて前記壁の上部分へのアクセスを可能とするように前記柵が前記取付け手段から取外し可能な柵であるということができる。
【００２４】
一形態において前記柵は、第１端部及び第２端部並びに前記端部の各々から伸長可能な部分を備える。
【００２５】
本発明の完全な理解のため、好適な実施形態について記載する。しかし本発明は本発明の厳密な特徴に制限又は限定されるものではなく、当業者に容易に明らかな改変及び変更が本発明の範囲に包含されると理解されるべきである。
【００２６】
柵の各種の図を示す添付の図面において、実施形態を図示する。
【００２７】
本明細書の開示をより良好に理解できるよう、以下に１又は２以上の例示的な実施形態について、図面を用いて記載する。
【図面の簡単な説明】
【００２８】
【図１】柵の平面図である。
【図２】図１に示される柵の端面図である。
【図３】図１及び２に示される柵の中央パネルの平面図である。
【図４】図３に示される中央パネルの端面図である。
【図５】図３及び４に示される中央パネルの上面図である。
【図６】図１及び２に示される柵のサイドパネルの平面図である。
【００２９】
以下の記載において同一の参照文字は、図面中のいくつかの図における同一部分又は対応する部分を表す。
【発明を実施するための形態】
【００３０】
中央パネル１１及び２つのサイドパネル１２を備える柵１０を図に示す。
【００３１】
柵１０は、取付け手段をさらに備える。かかる取付け手段は、ねじ式の締結具でプレート１３をプレキャスト壁（壁は図示せず）の上端に固定できるように開口部１４を有するプレート１３の対を備える。
【００３２】
支柱１５は各プレート１３に結合され、かつプレート１３から上方に延伸し、次に中央パネル１１が、支柱１５の上端及び下端近くで各々支柱１５に結合される上部及び下部のブラケット１７及び１６に固定される。
【００３３】
前記中央パネル１１は、長方形の外側周辺枠及びかかる周辺枠の内側に取り付けられたメッシュ２２の嵌込みパネル（infill panel）を備える。
【００３４】
前記中央パネル１１の外側周辺枠は、上部枠部材１９及び底部枠部材２０並びに側部枠部材２１を備える。メッシュ２２の嵌込みは前記周辺枠の内側、上部枠部材１９、底部枠部材２０、及び側部枠部材２１の間に固定される。
【００３５】
ねじ式の締結具は、上部ブラケット１７及び下部ブラケット１６並びに上部枠部材１９及び底部枠部材２０の両方の、各々の開口部を貫通しており、これにより中央パネル１１は支柱１５に固定され、結果としてプレート１３に、そしてプレキャスト壁の上端に固定される。
【００３６】
前記中央パネル１１と同様に各サイドパネル１２は、長方形の外側周辺枠及び、かかる周辺枠の内側に取り付けられるメッシュ２２の嵌込みパネルを備える。
【００３７】
サイドパネル１２の外側周辺枠は、上部枠部材２４及び底部枠部材２５並びに側部枠部材２６を備える。メッシュ２２の嵌込みは、前記周辺枠の内側、上部枠部材２４、底部枠部材２５、及び側部枠部材２６の間に固定される。
【００３８】
中央パネル１１及びサイドパネル１２の各々の内側にメッシュ２２の嵌込みパネルを備えることにより従来の柵と比較して確実に安全性が向上し、固定されていない物体（例えば道具等）が誤って高所から落下しないことが保証されるだけでなく作業員の落下防止にもなる。
【００３９】
前記中央パネル１１の外側周辺枠は、上部枠部材１９及び底部枠部材２０の各々を形成するか又はそれらの各々に取り付けられている一定の長さの直角横断面を備え、これに上部Ｕ型溝及び下部Ｕ型溝が形成され、その内側に２つのサイドパネル１２の上端及び下端が各々位置する。したがって各々のサイドパネル１２を、中央パネル１１の端部からみて完全に収納した、又は完全に展開した配置とすることができる。このため、各々のサイドパネル１２は入れ子式の動作でスライドさせて収納した配置とすることができる。この配置においてサイドパネル１２は完全に収納されており、したがってサイドパネル１２は全体が、完全に中央パネル１１の内側に収まっているか又は重なっている。
【００４０】
したがって、サイドパネル１２が展開した配置になっている柵１０はその全長にわたり連続的な柵を壁の端部に沿って提供する。中央パネル１１及びサイドパネル１２を備える柵１０を、サイドパネル１２を配置した状態で壁の上部の長さ（upper length）に沿っていくつも配置すれば、必要に応じて壁パネルの上端部分へのアクセスを提供して、柵１０が固定されている壁パネルの上端に次の壁パネルを配置して取り付ける準備をすることが可能になる。
【００４１】
本明細書及び添付の請求項全体において、他の意味を要求する文脈でない限り、「含む（comprise）」及び「含有する（include）」なる語、並びにその変化形の「含んでいる（comprising）」及び「含有している(including)」等は、記載された要素又は要素群を含むことを意味するが、他の任意の要素又は要素群の除外を意味しないものと理解される。
【００４２】
本明細書における先行技術への言及はいずれも、かかる先行技術が技術常識の一部を形成することを、何らかの形で示唆していると認めるものではなく、またそのように見なされるべきではない。
【００４３】
当業者であれば、本発明はその使用において、記載された特定の用途に限定されないことを理解する。また本明細書に記載又は図示された特定の要素及び／又は特徴に関して、本発明は本発明の好適な実施形態に限定されるものではない。本発明の原理から逸脱することなく、各種の改変を行うことが可能であることが理解される。したがって本発明はその範囲に、かかる全ての改変を含むと理解されるべきである。
【図１】
2013520586.tif 000003
【図２】
2013520586.tif 000004
【図３】
2013520586.tif 000005
【図４】
2013520586.tif 000006
【図５】
2013520586.tif 000007
【図６】
2013520586.tif 000008
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
壁に固定可能な取付け手段と、
該取付け手段によって支持される、前記壁の上部分より上方にある柵と
を備える、前記壁の上部分に取り付けるための柵であって、必要に応じて前記壁の上部分へのアクセスを可能とするように前記柵が前記取付け手段から取外し可能である柵。
【請求項２】
柵の少なくとも１つの部分が、前記柵の残りの部分に対して移動可能であり、かつ、前記少なくとも１つの部分が、壁の上部分より上方に設置されている第１の位置と、その後それまでその上方に前記移動可能な柵部分が配置されていた前記壁の上部分へのアクセスが提供される第２の位置との間で移動可能である、請求項１に記載の柵。
【請求項３】
柵が２つの柵部分を備え、該柵部分が、前記柵の残りの部分に対して移動可能であり、かつ、各々の第１の位置及び第２の位置の間で移動可能である、請求項２に記載の柵。
【請求項４】
柵の移動可能な部分又はその各々が、前記柵の残りの部分に対して展開可能かつ収納可能である、請求項２又は３に記載の柵。
【請求項５】
柵の移動可能な部分又はその各々が、前記柵の残りの部分に対して入れ子式に展開可能かつ収納可能である、請求項２〜４のいずれかに記載の柵。
【請求項６】
柵の移動可能な部分又はその各々が、前記柵の残りの部分に対する展開位置と収納位置との間でスライド可能である、請求項２〜５のいずれかに記載の柵。
【請求項７】
柵の残りの部分が、対向する端部を有する中心部分であり、２つの移動可能な部分の各々が、前記中心部分の対向する端部の１つに対して展開及び収納される、請求項３〜６のいずれかに記載の柵。
【請求項８】
柵の移動可能な部分又はその各々が、前記柵の残りの部分に対する展開位置及び収納位置の間で旋回可能である、請求項２〜７のいずれかに記載の柵。
【請求項９】
柵の旋回可能な部分又はその各々が、前記柵の主要部分に対して蝶番で接続されている、請求項８に記載の柵。
【請求項１０】
柵の移動可能な部分又はその各々が、少なくともその展開位置において、解除可能な形で固定できる、請求項１〜９のいずれかに記載の柵。
【請求項１１】
柵の移動可能な部分又はその各々が、完全に収納された位置及び完全に展開された位置を含むそれらの間の一連の位置のいずれか１つにおいて、解除可能な形で固定できる、請求項１〜１０のいずれかに記載の柵。
【請求項１２】
複数の取付け手段が壁に固定されていてもよく、使用される前記取付け手段の数が柵の長さに依存する、請求項１〜１１のいずれかに記載の柵。
【請求項１３】
取付け手段が、締結手段を用いて壁に締結できるプレートを備える、請求項１〜１２のいずれかに記載の柵。
【請求項１４】
締結手段が石工ボルトである、請求項１３に記載の柵。
【請求項１５】
垂直の支柱が取付け手段に結合され、かつ前記取付け手段から上方に延伸し、次に柵が前記垂直の支柱に固定される、請求項１〜１４のいずれかに記載の柵。
【請求項１６】
柵部分又はその各々が、長方形又は正方形の嵌込みパネル及び外側周辺枠を備える、請求項１〜１５のいずれかに記載の柵。
【請求項１７】
嵌込みパネルがメッシュパネルである、請求項１６に記載の柵。
【請求項１８】
外側周辺枠が構造用鋼鉄部材で製造されている、請求項１６又は１７に記載の柵。
【請求項１９】
柵が、ホイストライン用の結合ポイントを有し、該ホイストライン及び結合ポイントを介して、前記柵を昇降及び移動させることができる、請求項１〜１８のいずれかに記載の柵。
【請求項２０】
長手方向に伸長可能である、請求項１〜１９のいずれかに記載の柵。
【請求項２１】
第１端部及び第２端部、並びに各端部から伸長可能な部分を備える、請求項１〜２０のいずれかに記載の柵。
【国際調査報告】
2013520586.tif 000009
2013520586.tif 000010